(57)【特許請求の範囲】
【請求項１】
駆動源に連結し前後に往復動するペイアウトリンクと、各コインチューブ内の最下位のコインをコイン収容穴にそれぞれ収容し該ペイアウトリンクに追従して前後に往復動するペイアウトスライドと、該ペイアウトリンクの往復動に追従して前後に往復動する左右に複数並設された第１チェンジスライドと、該各第１チェンジスライドに隣接し該ペイアウトリンクの往復動に追従して前後に回動する第２チェンジスライドと、該各チェンジスライド毎に並設され該各チェンジスライドの往復動及び回動を選択的に規制するストッパ機構とを備え、
コイン非払い出し時には前記各ストッパ機構の規制により該各チェンジスライドを該各コイン収容穴の下面に臨ませてコインの払い出しを規制し、また、コイン払い出し時には該各ストッパ機構の規制解除により該各チェンジスライドを該各コイン収容穴の下面から退かせてコインを払い出すコイン払出装置において、
前記第２チェンジスライドは隣接する前記各第１チェンジスライド間に向かって延在された回動アームを備え、前記コイン収容穴の下面を進退する該回動アームの先端側には前記ペイアウトリンクのガイド溝に嵌脱自在の可動支点部を有し、該回動アームの後端側には前記ストッパ機構で回動規制されるストッパ部を有し、該回動アームの該可動支点部と該ストッパ部との間には固定支点部を有する
ことを特徴とするコイン払出装置。
【請求項２】
前記固定支点部は前記ペイアウトリンクの外に配置した
ことを特徴とする請求項１記載のコイン払出装置。
【請求項３】
前記可動支点部は前記ペイアウトリンクのガイド溝に嵌脱する突起と、該突起を該ガイド溝に向かって付勢する弾性部材とを有する
ことを特徴とする請求項１又は請求項２記載のコイン払出装置。
【請求項４】
前記第２チェンジスライドは、コイン非払い出し時に前記コイン収容穴の下面に臨む際、前記コイン収容穴の後側から延び該コイン収容穴の前側周縁に一致又は近傍となるよう延在している
ことを特徴とする請求項１乃至請求項３の何れか１項記載のコイン払出装置。
【請求項５】
前記第２チェンジスライドの先端は、その端に向かうに従って上面が低くなっているテーパ面を有する
ことを特徴とする請求項１乃至請求項４の何れか１項記載のコイン払出装置。
【発明の詳細な説明】
【０００１】
【発明の属する技術分野】
本発明は、自動販売機等に内蔵されたコイン処理装置の構成部品であるコイン払出装置に関し、特に５００円コイン等の大型コインを釣り銭として払い出すコイン払出装置を改良したものである。
【０００２】
【従来の技術】
自動販売機には投入されるコインを処理するコイン処理装置が内蔵されており、その構成部品として、投入コインの正偽や金種を判定するコイン識別装置、正貨と判定されたコインを金種毎に収納するコインチューブを有するコイン収納装置、更にはコインチューブ内のコインを釣り銭として払い出すコイン払出装置を備えている。
【０００３】
この構成部品のうちコイン払出装置に関しては従来から種々提案されており、その一つとして、特開平１１−１６１８２５号公報に記載されたものが提案されている。
【０００４】
この公報に記載されたコイン払出装置は、各コインチューブの最下位のコインをコイン収容穴に収容するペイアウトスライドと、ペイアウトスライドの各コイン収容穴と対向する第１チェンジスライドとを有し、このペイアウトスライド及び各第１チェンジスライドを駆動源に連結したペイアウトリンクで前後に往復動させるようになっている。また、ペイアウトスライドは基台上に配置されており、待機時においては基台上面で各コイン収容穴が閉塞され、最下位のコインが払い出されることはないが、コイン払い出し時にはペイアウトスライド及び各チェンジスライドが後方に移動し、各コイン収容穴がコイン払出穴の上に移動するため、このコイン払出穴よりコインが払い出される。
【０００５】
一方、コイン払出装置には、各第１チェンジスライドの往復動を選択的に規制する複数のストッパ機構（ソレノイド）が設置されている。各ソレノイドのオンオフによりストッパーピンを各第１チェンジスライドの移動上に交叉させ、各第１チェンジスライドの後方への移動を規制するようになっている。
【０００６】
従って、各第１チェンジスライドの移動規制しておけば、ペイアウトスライドが後方に移動する場合でも、各第１チェンジスライドは移動せず、各コイン収容穴が各第１チェンジスライド上に移動する。これにより、各コイン収容穴が各第１チェンジスライドで閉塞され、コイン払出穴からコインが払い出されることがない。
【０００７】
以上のようにコインを払い出すときは、選択された金種に対応する第１チェンジスライドのみを移動解除すればよく、これにより、選択されたコインのみを釣り銭として払い出すことができる。
【０００８】
しかしながら、以上のような第１チェンジスライドは、１０円コイン、５０円コイン、１００円コインという、それぞれのコイン径がさほど相違しない場合に有効な払出構造ではあるが、５００円コインのように他のコイン径と比較して非常に大きなコインにおいては、コイン径が大きい分、コイン収容穴が大きくり、これにより、このコイン収容穴の後方に配置されるチェンジスライドも他のコイン用のチェンジスライドより後方に配置しなければならない。この結果、コイン払出装置の前後方向の幅が大きくなり、大型化するという問題点を有している。
【０００９】
そこで、このような問題点を解決するため、前述の公報に記載されたコイン払出装置では、５００円コインの払い出し部材として第１チェンジスライドと払出構造が異なる第２チェンジスライドを採用している。
【００１０】
この第２チェンジスライドは、縦長板状に形成されたスライド本体を有し、このスライド本体の上面後端にはカム軸を突設する一方、下面略中央には下方に向かって弾性の回転軸を突設した構造となっている。また、ペイアウトリンクにはこの回転軸を軸支する軸受け穴と回転軸を係脱させるガイド溝を有する一方、ペイアウトリンクの上面を覆う上カバーにはカム軸を横方向に案内する円弧状のカム溝を形成している。
【００１１】
この第２チェンジスライドによれば、ペイアウトリンクが後方に向かって移動するときは、第２チェンジスライドのカム軸がカム溝に沿って横方向に移動し、このカム軸の移動により回転軸を中心に第２チェンジスライドが横方向に回転する。これにより、第２チェンジスライドをコイン払出穴から離脱させ、コイン収容穴内の５００円コインを払い出す。
【００１２】
一方、第２チェンジスライドのカム軸をソレノイドのストッパピンで移動規制するときは、ペイアウトリンクの後方への移動により回転軸がペイアウトリンクのガイド溝を通ってペイアウトリンクから外れ、第２チェンジスライドがコイン払出穴上に待機した状態となる。これにより、後方に移動したコイン収容穴が第２チェンジスライドで閉塞されるため、コイン収容穴内の５００円コインが第２チェンジスライドで支持され、５００円コインが払い出されることがない。
【００１３】
【発明が解決しようとする課題】
以上のように従来のコイン払出装置は、５００円コインを払い出す際に第２チェンジスライドを回転させて払い出すようにしているため、コイン払出装置の前後方向の幅寸法の大型化を防止することができる。
【００１４】
しかしながら、この第２チェンジスライドでは、これの移動を規制するソレノイドが第２チェンジスライドの後端のカム軸を規制するため、このソレノイドの配置位置が第１チェンジスライド規制用のソレノイドの配置位置より後方となり、その分、コイン払出装置が大型化が避けられないという問題点を有している。
【００１５】
また、各ソレノイドは、前後に延在された各チェンジスライドの後方に配置されるため、ソレノイドの配置位置も横方向に並設された各チェンジスライド全体に亘って配置せざるを得ず、ソレノイド全体の配置スペースが必要以上に大きくなり、スペース効率の点でも不利なものとなっている。
【００１６】
更に、第２チェンジスライドの回動軸は、コイン払い出し時は固定軸であり、また、コイン非払い出し時は可動軸となっている。このため、固定軸として固定するための軸受け穴、また、可動軸として案内するためのガイド溝をペイアウトリンクに形成しなければならない。また、カム軸を案内するためのカム溝を上カバーに設ける等、非常に複雑な構造となっている。
【００１７】
本発明の目的は前記従来の課題に鑑み、構造簡単な第２チェンジスライドにより、ストッパ機構のスペース効率を向上させ、小型のコイン払出装置を提供することにある。
【００１８】
【課題を解決するための手段】
本発明は前記従来の課題に鑑み、請求項１の発明は、駆動源に連結し前後に往復動するペイアウトリンクと、各コインチューブ内の最下位のコインをコイン収容穴にそれぞれ収容しペイアウトリンクに追従して前後に往復動するペイアウトスライドと、ペイアウトリンクの往復動に追従して前後に往復動する左右に複数並設された第１チェンジスライドと、各第１チェンジスライドに隣接しペイアウトリンクの往復動に追従して前後に回動する第２チェンジスライドと、各チェンジスライド毎に並設され各チェンジスライドの往復動及び回動を選択的に規制するストッパ機構とを備え、コイン非払い出し時には各ストッパ機構の規制により各チェンジスライドを各コイン収容穴の下面に臨ませてコインの払い出しを規制し、また、コイン払い出し時には各ストッパ機構の規制解除により各チェンジスライドを各コイン収容穴の下面から退かせてコインを払い出すコイン払出装置において、第２チェンジスライドは隣接する各第１チェンジスライド間に向かって延在された回動アームを備え、コイン収容穴の下面を進退する回動アームの先端側にはペイアウトリンクのガイド溝に嵌脱自在の可動支点部を有し、回動アームの後端側にはストッパ機構で回動規制されるストッパ部を有し、回動アームの可動支点部とストッパ部との間には固定支点部を有する構造となっている。
【００１９】
この発明によれば、第２チェンジスライドでコインを払い出すときは、回動アームのストッパ部からストッパ機構の回動規制を解除する。次いでペイアウトリンクを後方に移動させる。これにより、コイン収容穴が後方に向かって移動して、コイン払出穴の上面に至る。一方、このペイアウトリンクの後方移動により可動支点部がガイド溝に沿って移動し、回動アームが固定軸を中心に回転する。
【００２０】
この回動アームの回転により、回動アームの先端側が後方に向かって回転するため、回動アームの先端側とコイン収容穴は依然として離隔状態でコイン収容穴は閉塞されず、従って、コイン収容穴のコインはコイン払出穴から払い出される。
【００２１】
一方、第２チェンジスライドによるコイン非払い出し時は、回動アームのストッパ部をストッパ機構により回転規制する。ここで、他のコインの払い出し操作のためにペイアウトリンクが後方に移動したときは、ペイアウトスライドのコイン収容穴が後方に向かって移動して、コイン払出穴の上面に至る。一方、第２チェンジスライドは回転規制されているため、ペイアウトリンクの後方への移動力により回動アームの可動支点部がガイド溝から外れ、第２チェンジスライドがコイン払出穴の上面に依然として待機した状態で延在されている。従って、コイン払出穴に移動したコイン収容穴が第２チェンジスライドで閉塞されるため、コイン収容穴内のコインが第２チェンジスライドに支持され、払い出されることがない。
【００２２】
ここで、固定支点部はペイアウトリンクの外に配置するようにしても良い。また、可動支点部は弾性付与された突起を有し、この突起をペイアウトリンクのガイド溝に嵌め込むようしても良い。
【００２３】
また、請求項４の発明の如く、第２チェンジスライドが、コイン非払い出し時にコイン収容穴の後側から延び前側周縁に一致又は近傍となるよう延在しているときは、第２チェンジスライドが最下位のコインの前後方向ほぼ全体に亘って支持するため、コインの立ち上がり等の不具合が防止される。
【００２４】
更に、請求項５の発明の如く、第２チェンジスライドの先端に端に向かうに従って上面が低くなっているテーパ面を形成するときは、第２チェンジスライドに対応するコインの非払出時に（第１チェンジスライドに対応するコインの払出時に）、第２チェンジスライド上に移動する最下位のコインがテーパ面に沿ってスムーズに案内され、コインの立ち上がり等の不具合が防止される。
【００２５】
【発明の実施の形態】
図１乃至図６は本発明に係るコイン払出装置の一実施形態を示すもので、図１はコイン払出装置の組立斜視図、図２は第２チェンジスライドの可動支点部を示す平面図、図３の(a)(b)は第２チェンジスライドの可動支点部の嵌合状態と突出部構造（図２のＡーＡ線矢視方向に断面）を示す断面図、図４はコイン払出装置の待機状態を示す平面断面図、図５は第２チェンジスライドの非払い出し状態を示す平面断面図、図６は第２チェンジスライドの払い出し状態を示す平面断面図である。
【００２６】
コイン払出装置の全体構成を説明する。コイン払出装置は、図示しない回転駆動源（モータ）に連結したペイアウトリンク１と、該ペイアウトリンク１に連結するペイアウトスライド２と、ペイアウトリンク１に追従して動作する複数の第１チェンジスライド３と、同じくペイアウトリンク１に追従して動作する第２チェンジスライド４と、各チェンジスライド３，４の動作を規制するストッパ機構（ソレノイド機構）５と、ペイアウトスライド２を支持する基台６とから構成されている。
【００２７】
このペイアウトリンク１は、横方向に四角柱状に延在された第１リンク部１１と、第１リンク部１１の左端（図１，図４〜図６に向かって）から外方に延在された第２リンク部１２とから構成されている。
【００２８】
この第１リンク部１１はその上面に横方向に延びるガイド溝１１１を有し、このガイド溝１１１にペイアウトカム１１２（回転駆動源に連結）の突起１１２ａ（図１の破線で示す）を移動自在に嵌め込んでおり、これにより、ペイアウトカム１１２の回転に伴いペイアウトリンク１が前後方向に往復動する。また、第１リンク部１１には前後に貫通するスライド案内孔１１３を有し、このスライド案内孔１１３を横方向に間隔をおいて複数（４個）形成しており、各スライド案内孔１１３に第１チェンジスライド３を前後方向に移動自在に設置している。なお、このスライド案内孔１１３には第１チェンジスライド３をその内部に係脱自在に保持する保持部材を有し、通常は第１チェンジスライド３を保持する一方、ペイアウトリンク１の後方への移動力に対して第１チェンジスライド３に移動規制（後述するソレノイド機構５のストッパピン５ａによる移動規制）がかかっているときには、第１チェンジスライド３の保持状態が解除するようになっている。
【００２９】
また、第１リンク部１１の前面には２個の連結ピン１１４を有し、各連結ピン１１４をペイアウトスライド２の連結孔２３に連結している。また、第１リンク部１１の上面中央にはペイアウトリンク１の支承軸１１５を有し、この支承軸１１５を図示しない上カバーに前後に移動自在に支持している。
【００３０】
第２リンク部１２は、上下板１２１，１２２を間隔を置いて配置して、上下板１２１，１２２間に第２チェンジスライド４が入り込むことができるよう形成する一方、各上下板１２１，１２２の前面側を円弧状に切り欠き、後述するペイアウトスライド２の張り出し部２２の円弧面と対応する形状としている。また、第２リンク部１２の下板１２２には横方向に延びるガイドガイド溝１２２ａを形成しており、このガイドガイド溝１２２ａに後述する第２チェンジスライド４の突起４３２が嵌り込み、この突起４３２を横方向に案内するようになっている。また、下板１２２の左側前端には上方に伸びる連結ピン１２３を有し、この連結ピン１２３をペイアウトスライド２の連結孔２４に連結している。
【００３１】
ペイアウトスライド２は、横長方形状のプレートであり、上下に貫通するコイン収容穴を横方向に複数有しており、例えば、右から１００円コイン収容穴２１１，２１２、１０円コイン収容穴２１３、５０円コイン収容穴２１４、５００円コイン収容穴２１５を順次形成している。なお、５００円コイン収容穴２１５はコイン径が大きいことから、これを許容するため後方に向かって円弧状の張り出し部２２を形成し、この張り出し部２２に亘って５００円コイン収容穴２１５を形成している。また、各コイン収容穴２１１〜２１５は図１の破線に示すように、釣り銭を収容する各金種毎のコインチューブ７ａ〜７ｅに連通しており、それぞれ各コインチューブ７ａ〜７ｅ内の最下位のコインを収容している。また、ペイアウトスライド２は前述したようにペイアウトリンク１の各連結ピン１１４，１２３がそれぞれ連結孔２３，２４に連結しており、これにより、ペイアウトリンク１の往復動に追従してペイアウトスライド２が前後に往復動する。
【００３２】
第１チェンジスライド３は前述の如くペイアウトリンク１の各スライド案内孔１１３に貫通するもので、各第１チェンジスライド３は図４〜図６に示すように、各コイン収容穴２１１〜２１４に対向して配置している。また、ペイアウトスライド２が後方に移動したとき、図６に示すように、移動規制されている各第１チェンジスライド３が各コイン収容穴２１１〜２１４の下面に臨むよう配置されている。
【００３３】
第２チェンジスライド４は平面から見ると（図４〜図６から見ると）略「へ」字状となっている回動アーム４１を有している。また、回動アーム４１の先端側と後端側との間、即ち端部間は図１に示すように上方に向かって高く形成しており、この端部間に上カバー（図示しない）に回動自在に軸支される固定支点部４２を突出している。なお、この固定支点部４２はペイアウトリンク１の外に配置している。
【００３４】
また、回動アーム４１の先端側には可動支点部４３が設けられている。この可動支点部４３は図２に示すように、回動アーム４１を略Ｕ字状に切り抜くとともに、図３の(a)に示すように厚みを薄くした弾発性を有する弾性片４３１を有している。この弾性片４３１の先端下面には、図３の(a)に示すように、半球状の突起４３２を有しており、この突起４３２が第２リンク部１２のガイド溝１２２ａに嵌り込んでいる。また、回動アーム４１の先端側は図４及び図５に示すように、５００円コインの非払出時においてコイン収容穴２１５の後側から延び前側周縁に一致するよう延在しており、これにより、コイン収容穴２１５内の５００円コインを支持するようになっている。更に、回動アーム４１の先端には図３の(a)に示すように外方に突出した突出部４５が延在され、この突出部４５の先端は図３の(b)に示すように端に向かうに従って上面が低くなっているテーパ面４５１を有している。一方、回動アーム４１の後端側は図４〜図６に示すように、隣接する各第１チェンジスライド４１の間に向かって延び、かつ、この後端側の外面がストッパ部４４として機能しており、このストッパ部４４にソレノイド５のストッパピン５ａが当たるように配置されている。
【００３５】
ソレノイド５は図１に示すように、４個の第１チェンジスライド３のストッパ部（各第１チェンジスライド３の後端面）、１個の第２チェンジスライド４のストッパ部４４の上方に配置されたもので、それぞれストッパピン５ａを上下動し、第１チェンジスライド３の後方への移動規制や第２チェンジスライド３の時計回りの回転を規制している。
【００３６】
基台６は、図１に示すように、上下面が開口された方形状の箱体となっており、その前側はペイアウトスライド２を移動自在に支持する支持板６１となっている。この支持板６１で閉鎖されていない開口をコイン払出穴６２としている。また、基台６の後板６３には各第１チェンジスライド３に対応する貫通穴６４が形成され、図５に示すように、ペイアウトリンク１に追従して後方に移動する第１チェンジスライド３をこの貫通穴６４に案内している。
【００３７】
次に本実施形態に係るコイン払出装置のコイン払出動作を図４〜図６を主に参照して説明する。まず、待機状態を図４を参照して説明するに、ペイアウトスライド２の各コイン収容穴２１１〜２１５は基台６の支持板６１に支持され、各コイン収容穴２１１〜２１５の４分の３程度がこの支持板６１により閉塞されている。これにより、各コイン収容穴２１１〜２１５に収容されているコイン（各コインチューブの７ａ〜７ｅの最下位のコイン）は、非払い出し状態となっている。
【００３８】
このような待機状態において、５０円コインを払い出すときは、５０円コインのコイン収容穴２１４に対応するソレノイド５をオンする（図１の１番左側のソレノイド５を励磁し当該第１チェンジスライド３の移動規制を解除する。）一方、他のコイン収容穴２１１〜２１３，２１５に対応するソレノイド５についてはオフして非励磁状態とする。次いで、図示しないモータを駆動してペイアウトリンク１を前後に１回往復動する。このペイアウトリンク１の後方への移動により、図５に示すように、５０円コインに対応する第１チェンジスライド３は後方に移動する一方、他の第１チェンジスライド３及び第２チェンジスライド４はソレノイド５のストッパピン５ａにより移動規制及び回動規制され、待機状態を維持する。また、このペイアウトリンク１の後方への移動により、ペイアウトスライド２も後方に移動し、各コイン収容穴２１１〜２１５がコイン払出穴６２の上方に移動する。
【００３９】
以上のような各チェンジスライド３，４とペイアウトスライド２の動作により、図５に示すように、５０円コインに対応するコイン収容穴２１４がコイン払出穴６２に全面開口される。一方、他のコイン収容穴２１１〜２１３はそれぞれ第１チェンジスライド３により閉塞される。また、ペイアウトスライド２が後方へ移動する際、可動支点部４３の突起４３２がペイアウトリンク１のガイド溝１２２ａから外れるため、第２チェンジスライド４が待機状態と同様の状態で保持され、これにより、コイン収容穴２１５が第２チェンジスライド４により閉鎖される。従って、全面開口されたコイン収容穴２１４内の５０円コインのみが釣り銭として払い出される。なお、１０円コイン及び１００円コインを払い出す際は、払い出されるコインに対応するソレノイド５がオンし、前述の５０円コインと同様の払い出し動作が行われ、１０円コイン或いは１００円コインが釣り銭として払い出される。
【００４０】
次に、５００円コインを払い出す場合について図６を参照して説明する。５００円コインを払い出すときは、５００円コインのコイン収容穴２１５に対応するソレノイド５をオンする（図１の左から２番目のソレノイド５を励磁し第２チェンジスライド４の移動規制を解除する。）一方、他のコイン収容穴２１１〜２１４に対応するソレノイド５についてはオフして非励磁状態とする。次いで、図示しないモータを駆動してペイアウトリンク１を前後に１回往復動する。このペイアウトリンク１の後方への移動により、可動支点部４３の突起４３２がガイド溝１２２ａに沿って移動し、図６に示すように、固定支点部４２を中心に時計回りに回転する。一方、第１チェンジスライド３はソレノイド５のストッパピン５ａにより移動規制され、図６に示すように、待機状態を維持する。また、このペイアウトリンク１の後方への移動により、ペイアウトスライド２も後方に移動し、各コイン収容穴２１１〜２１５がコイン払出穴６２の上方に移動する。
【００４１】
以上のような各チェンジスライド３，４とペイアウトスライド２の動作により、図６に示すように、５００円コインに対応するコイン収容穴２１５がコイン払出穴６２に全面開口され、一方、他のコイン収容穴２１１〜２１４はそれぞれ第１チェンジスライド３により閉鎖される。従って、全面開口されたコイン収容穴２１５内の５００円コインのみが釣り銭として払い出される。
【００４２】
本実施形態に係るコイン払出装置は、前述の如く、第２チェンジスライド４の回動アーム４１が、図４〜図６に示すように、隣接する各第１チェンジスライド３の間に向かって延び、かつ、この後端側の外面がストッパ部４４として機能しており、このストッパ部４４にソレノイド５のストッパピン５ａが当たるように配置されている。
【００４３】
これにより、図４〜図６に示すように、第２チェンジスライド４の回動規制用のストッパピン５ａが左から２番目、即ち第１チェンジスライド４の移動規制用のストッパピン５ａ間に配置できるので、図１に示すように、各ストッパピン５ａのソレノイド５において、その左右方向の配置スペースが小さくて済むし、また、全てのソレノイド５を横一直線に配置でき、従来のコイン払出装置と比較し、前後方向の装置寸法も小さくできる。
【００４４】
更に、第２チェンジスライド４は前述の如く固定支点部４２を中心に回動する回動アーム４１であり、その先端側にペイアウトリンク１のガイド溝１２２ａに嵌り込む可動支点部４３を有する構造となっており、従来のコイン払出装置の第２チェンジスライドと比較して簡単な構造となっている。
【００４５】
更にまた、回動アーム４１の先端側は図４及び図５に示すように、５００円コインの非払出時においてコイン収容穴２１５の後側から延び前側周縁に一致するよう延在しているため、コイン収容穴２１５内の５００円コインの前後方向全体が支持され、５００円コインの立ち上がり等の不具合が防止される。なお、この実施形態ではコイン収容穴２１５の前後方向全体を第２チェンジスライド４により閉塞しているが、コイン収容穴２１５の前側周縁の近傍まで回動アーム４１の先端側を延在する場合においても、ほぼ同様の効果を得ることは勿論である。
【００４６】
更にまた、第２チェンジスライド４の先端に端に向かうに従って上面が低くなっているテーパ面４５１を形成しているので、第２チェンジスライド４に対応する５００円コインの非払出時に（第１チェンジスライド３に対応する１０円、５０円、１００円コインの払出時に）、第２チェンジスライド４上に移動する最下位の５００円コインがテーパ面４５１に沿ってスムーズに案内され、この点でも５００円コインの立ち上がり等の不具合が防止される。
【００４７】
【発明の効果】
以上説明したように、本発明によれば、第２チェンジスライドの回動アームが隣接する各第１チェンジスライドの間に向かって延びており、この後端側を回動規制用のストッパ部とすることができるので、第２チェンジスライドのストッパ機構を第１チェンジスライドのストッパ機構と一連に配置でき、各ストッパ機構の横方向の配置スペースを小さくできるし、また、前後方向の配置スペースも小さくでき、コイン払出装置全体を小型化できる。
【００４８】
また、第２チェンジスライドは固定支点部を中心に回動する回動アームであり、その先端側にペイアウトリンクのガイド溝に嵌り込む可動支点部を有する構造であり、従来の如く、複数のガイド溝を設ける必要がないので、第２チェンジスライドが簡単な構造となっている。
【図面の簡単な説明】
【図１】本発明に係るコイン払出装置の組立斜視図
【図２】第２チェンジスライドの可動支点部を示す平面図
【図３】第２チェンジスライドの可動支点部の嵌合状態と突出部構造（図２のＡーＡ線矢視方向に断面）を示す断面図
【図４】コイン払出装置の待機状態を示す平面断面図
【図５】第２チェンジスライドの非払い出し状態を示す平面断面図
【図６】第２チェンジスライドの払い出し状態を示す平面断面図
【符号の説明】
１…ペイアウトリンク、２…ペイアウトスライド、３…第１チェンジスライド、４…第２チェンジスライド、５…ソレノイド、６…基台、７ａ〜７ｅ…コインチューブ、４２…固定支点部、４３…可動支点部、４４…ストッパ部、６２…コイン払出穴、１２２ａ…ガイド溝、２１１〜２１５…コイン収容穴、４３２…突起。
【図１】
0004407996.tif 000002
【図２】
0004407996.tif 000003
【図３】
0004407996.tif 000004
【図４】
0004407996.tif 000005
【図５】
0004407996.tif 000006
【図６】
0004407996.tif 000007